(57)【要約】【課題】市販の使い捨て衛生マスクに着脱可能で、衛生マスク着用者の鼻口部を外部からの電磁波から遮蔽できる衛生マスク用マスクカバーを提供する。【解決手段】衛生マスクのマスク本体外面を覆う略矩形のカバー本体部と、その左右端縁部の中央部から衛生マスクの耳掛け紐の上下固定端間隔より僅かに狭い上下幅で延設した延設部と、カバー本体部の内面側における左右端縁部より中央寄り部分においてカバー本体部の上下端縁間に張り渡した左右一対の帯状部材とを備えて構成し、カバー本体部と延設部とは電磁波遮蔽性と通気性を持たせた生地を用いて製作する。マスクカバーの内側に衛生マスクを配置してその左右端を包むようにして延設部を折り返し、その先端を衛生マスク内面と帯状部材の間に通す。【選択図】図６
2012217660.tif 000002
【特許請求の範囲】
【請求項１】
略矩形で左右両側に耳掛け紐を有する衛生マスクの外面に装着して使用するマスクカバーであって、該マスクカバーは前記衛生マスクのマスク本体外面を覆うことのできる略矩形のカバー本体部と、
該カバー本体部の左右端縁部の中央部から前記衛生マスクの耳掛け紐の上下固定端間隔より僅かに狭い上下幅で延設された延設部と、
前記カバー本体部の内面側における左右端縁部より中央寄り部分においてカバー本体部の上下端縁間に張り渡された左右一対の帯状部材とを備え、
前記カバー本体部と延設部とは導電性細線を繊維と混紡して電磁波遮蔽性と通気性を持たせた生地を用いて製作されており、
前記マスクカバーを前記衛生マスクの外面に装着する際は、前記延設部をカバー本体部の左右に展開した状態にて衛生マスクの左右端部と左右の耳掛け紐をそれぞれ前記カバー本体部と左右一対の帯状部材の間に通し、該状態にて前記マスクカバーの左右の延設部を衛生マスクの左右端部を包むように折り畳んでその先端部を衛生マスク内面と帯状部材の間に通すことによりマスクカバーが衛生マスクを覆うように装着されるよう構成されていることを特徴とするマスクカバー。
【請求項２】
請求項１に記載のマスクカバーにおいて、前記カバー本体部の上下方向中央部には上下方向に折り畳まれて左右方向に延びる複数本のプリーツが形成してあることを特徴とするマスクカバー。
【発明の詳細な説明】
【技術分野】
【０００１】
本発明は衛生マスクの表面側に着脱可能に装着して使用するマスクカバーに関し、特にはマスクカバーの材料に電磁波を遮蔽する効果を有する生地を使用して電磁波が着用者の鼻口部へ悪影響を与えるのを防止するための衛生マスク用マスクカバーに関する。
【背景技術】
【０００２】
大気中に浮遊する細菌、花粉、粉塵等の有害微粒子が鼻や口から呼吸を通じて体内に侵入することを防止したり、反対に鼻口から吐出される分泌物の周囲への飛散を抑制したりすることを目的として衛生マスクが多用されている。こうした目的の衛生マスクはガーゼや不織布等の布地を鼻口を覆うに足る大きさに複数枚重ね合わせ、左右両側に取り付けたゴム紐等で耳に掛けて装着する構成となっている。
【０００３】
こうしたガーゼや不織布等を複数枚重ね合わせてフィルターを構成する従来の衛生マスクは有害微粒子の侵入や分泌物の飛散を防止するには効果がある。しかし、近年、外部から侵入する電磁波が口腔や鼻に与える悪影響が問題視されるようになってきている。例えば、携帯電話を耳元で使用する場合、使用者が金、銀、パラジウム等の合金を使用した歯の詰め物をしていると、その合金がアンテナとなって携帯電話からの電磁波を口内に引きつけるためか、ふらつき、肩こり、頭痛、腰痛といった各種症状を引き起こすと訴える電磁波過敏症患者が増えている。
【０００４】
今日、電磁波は携帯電話のみならず電子レンジ、ブラウン管表示器、パソコン、ワ−プロ等の様々な電子機器から発生している。中でもＥＭＳ試験に携わる技術者は強い電磁波に曝される。こうした電磁波の悪影響を防止する観点から電磁波の口腔や鼻への侵入を阻止できる防護マスクが求められている。
【０００５】
従来技術として例えば、特許文献１にはマスクの表面側部分に導電性塗料を塗布し、裏面側部分に電磁波シールド機能を持つ絶縁性塗料を塗布した電磁波シールドマスクが開示されている。しかし、マスクは汚れたら新品と交換する必要があり、このような塗布方式の使い捨てマスクでは費用が高くつく問題がある。
【先行技術文献】
【特許文献】
【０００６】
【特許文献１】特開平１０−３１９３５３
【発明の概要】
【発明が解決しようとする課題】
【０００７】
本発明は、従来技術のこうした問題点を解決するためになされたものでその課題は、市販の使い捨て衛生マスクに着脱可能で、衛生マスク着用者の鼻口部を外部の電磁波から遮蔽して保護することのできる衛生マスク用マスクカバーを提供するにある。
【課題を解決するための手段】
【０００８】
前記課題を解決するための請求項１に記載の発明は、略矩形で左右両側に耳掛け紐を有する衛生マスクの外面に装着して使用するマスクカバーであって、該マスクカバーは衛生マスクのマスク本体外面を覆うことのできる略矩形のカバー本体部と、該カバー本体部の左右端縁部の中央部から衛生マスクの耳掛け紐の上下固定端間隔より僅かに狭い上下幅で延設された延設部と、カバー本体部の内面側における左右端縁部より中央寄り部分においてカバー本体部の上下端縁間に張り渡された左右一対の帯状部材とを備え、カバー本体部と延設部とは導電性細線を繊維と混紡して電磁波遮蔽性と通気性を持たせた生地を用いて製作されており、マスクカバーを衛生マスクの外面に装着する際は、延設部をカバー本体部の左右に展開した状態にて衛生マスクの左右端部と左右の耳掛け紐をそれぞれカバー本体部と左右一対の帯状部材の間に通し、該状態にてマスクカバーの左右の延設部を衛生マスクの左右端部を包むように折り畳んでその先端部を衛生マスク内面と帯状部材の間に通すことによりマスクカバーが衛生マスクを覆うように装着されるよう構成されていることを特徴とするマスクカバーである。
【０００９】
このような構成によれば、衛生マスクの外面は電磁波遮蔽性と通気性を有するマスクカバーで覆われるのでマスク着用者の鼻口部は外部から侵入する電磁波から保護される。また、マスクカバーは略矩形で左右両側に耳掛け紐を有する衛生マスクに着脱できる構成とされているため、衛生マスクとして市販の使い捨て衛生マスクを使用できる利点を有する。
【００１０】
また、請求項２に記載の発明は、請求項１に記載のマスクカバーにおいてカバー本体部の上下方向中央部には上下方向に折り畳まれて左右方向に延びる複数本のプリーツが形成してあることを特徴とするマスクカバーである。
【００１１】
このような構成によれば、衛生マスクがプリーツを有してそれが広げられた場合でもマスクカバーのプリーツを広げることで衛生マスクの外面全体を電磁波遮蔽性の生地で覆うことができる。
【図面の簡単な説明】
【００１２】
【図１】マスクカバー１の内面側展開図である。
【図２】マスクカバー１の外面側展開図である。
【図３】衛生マスク２の内面側図である。
【図４】衛生マスク２の外面側図である。
【図５】展開したマスクカバー１の内面側に衛生マスク２を装着した状態の内面側図である。
【図６】マスクカバー１を衛生マスク２に装着し終えた状態の内面側図である。
【発明を実施するための形態】
【００１３】
以下、本発明に係る衛生マスク用マスクカバーの一実施形態を図面を参照して説明する。図１はマスクカバー１の内面側展開図、図２は外面側展開図、図３は衛生マスク２の内面側図、図４は衛生マスク２の外面側図、図５は展開したマスクカバー１の内面側に衛生マスク２を装着した状態の内面側図、図６はマスクカバー１を衛生マスク２に装着し終えた状態の内面側図である。
【００１４】
マスクカバー１は図３、図４に示すような最も一般的な形状をした衛生マスク２に装着できるように構成されている。被装着マスクである衛生マスク２は、着用者の鼻口部を覆うマスク本体部４と左右一対の耳掛け紐５から構成されたものである。マスク本体部４は通気性を有するガーゼや不織布を複数枚重ね合わせて横長矩形状に形成されている。上下方向中央部には、マスク本体部４が装着者の顔にフィットして広がるようにするための上下方向に折り畳んだプリーツ６が左右方向に複数本形成されていることが多い。左右一対の耳掛け紐５の両端は衛生マスク２の左右端の上下端部に熱溶着、その他の方法で固定されている。
【００１５】
マスクカバー１は図１、図２に示すようにカバー本体部８、左右の延設部９、左右一対の帯状部材１０により構成されている。カバー本体部８は衛生マスク２のマスク本体部４の外面側を覆う部分であり、マスク本体部４の全体を覆うようにマスク本体部４の上下、左右方向に僅かにはみ出す大きさに形成されている。図３に示したプリーツ６が形成されたマスク本体部４にも適用できるように、カバー本体部８にも図１、図２に示すような上下方向に折り畳んだプリーツ１１が左右方向に複数本形成してある。
【００１６】
カバー本体部８の左右端縁部には、その上下方向中央部から左右に延出する延設部９が設けられている。延設部９は略矩形に形成されており、その上下方向幅は衛生マスク２の耳掛け紐５の上下固定端間隔より僅かに狭くしてある。左右方向の延設長さは、延設部９を境界で折り返した場合に、その先端が後述する帯状部材１０よりも中央寄り位置となる長さにしてある。延設部９はカバー本体部８と一体に形成してもよいし、カバー本体部８とは別に形成して熱溶着や縫い付けでカバー本体部８に取り付けてもよい。
【００１７】
更に、カバー本体部８の内面側における左右端縁部より少し中央寄り部分には、図１に示すように左右一対の帯状部材１０が取り付けてある。各帯状部材１０は、両端をカバー本体部８の上下端縁に固定して上下方向に張り渡されている。
【００１８】
マスクカバー１は以上のように構成されたものであるが、本発明のマスクカバー１はカバー本体部８と左右の延設部９が電磁波遮蔽性と通気性を有する生地を用いて製作されている点に更なる特徴を有する。電磁波遮蔽性を有する生地を用いるのは、マスクカバー１にて衛生マスク２のマスク本体部４の外面側を包み込むように覆うことにより、着用者の鼻口部を電磁波から遮蔽して保護するためである。
【００１９】
電磁波遮蔽性と通気性を有する生地は、窓のカーテン用、壁のシールド用、ベッドの蚊帳用、電磁波遮蔽シャツ用等として各種製品が市販されている（例えば、株式会社エコロガのシールドデライトＳＤＬ−２５０）。電磁波遮蔽性は、導電性の高い銅、銀等の金属細線をポリエステル繊維や天然繊維と混紡して糸とし、それを生地に織り上げることで付与されている。
【００２０】
このような構成のマスクカバー１を衛生マスク２の外面に取り付けるには、最初にマスクカバー１の左右の延設部９をカバー本体部８の左右に展開した状態にする（図１）。次に、図５に示すように衛生マスク２の左右の端部と左右の耳掛け紐５をそれぞれカバー本体部８と左右の帯状部材１０の間に通した状態とする。この状態にて図６に示すようにマスクカバー１の左右の延設部９を衛生マスク２の左右端部を包むように折り畳む。そして、折り畳んだ先端部を衛生マスク２の内面と帯状部材１０の間に通す。これによりマスクカバー１は衛生マスク２の外面側を覆う状態で取り付けられる。
【００２１】
本実施形態のマスクカバー１によれば、衛生マスク２の外面側は電磁波遮蔽性と通気性を有する生地で覆われるので、マスク着用者の鼻口部は外部から侵入する電磁波から遮蔽されて保護される。また、本マスクカバー１は略矩形で左右両側に耳掛け紐５を有する衛生マスク２に着脱できる構成となっているため、衛生マスク２として市販の使い捨て衛生マスクを使用できる利点を有する。また、上下方向に折り畳んだプリーツ１１を形成しておけばプリーツ６を有する衛生マスク２にも適用できる。
【符号の説明】
【００２２】
図面中、１はマスクカバー、２は衛生マスク、５は耳掛け紐、８はカバー本体部、９は延設部、１０は帯状部材、１１はプリーツを示す。
【図１】
2012217660.tif 000003
【図２】
2012217660.tif 000004
【図３】
2012217660.tif 000005
【図４】
2012217660.tif 000006
【図５】
2012217660.tif 000007
【図６】
2012217660.tif 000008